(57)【特許請求の範囲】
【請求項１】
撮像素子を固定した基板と、シャーシと、押し付け部材とを備え、前記シャーシが、前記基板が当接する基板受け部と、前記撮像素子が当接する撮像素子押し付け部と、シャーシ凸部と、レンズ受け部とを有し、前記押し付け部材が、前記基板を前記基板受け部に押し付ける第１のばね部と、前記シャーシ凸部に係合し、前記基板を挟み込んで固定するフック部と、前記撮像素子を光軸に垂直なＸ方向に前記撮像素子押し付け部へ押し付ける第２のばね部と、前記撮像素子を光軸に垂直なＹ方向に前記撮像素子押し付け部へ押し付ける第３のばね部とを有することを特徴とするカメラ。
【発明の詳細な説明】
【０００１】
【発明の属する技術分野】
本発明は、ＣＣＤ等の光電変換を行なう半導体素子を撮像素子とするカメラの撮像素子保持構造に関し、特に、撮像素子の組み込み時にレンズと撮像素子の間の光軸調整が不要なカメラの撮像素子保持構造に関する。
【０００２】
【従来の技術】
ビデオカメラなどの撮像装置の組み立て時には、レンズの光軸とＣＣＤなどの撮像素子の中心を精度よく一致させる必要がある。レンズの光軸に対して撮像素子を予め正確に位置決めして固定した基板をシャーシに精度よく取り付けることができれば、組み立て時の光軸調整は不要であるが、撮像素子を基板に固定するために半田付けやソケットを用いるので、十分な精度を保つことは困難である。また、基板をシャーシに組み付けるためにネジを用いるので、この部分でも必要な精度を維持できない。
【０００３】
そのため、従来は、撮像素子の組み込み時に映像を撮影しながら光軸調整をしていた。図５および図６に、従来の撮像素子保持構造を示す。従来の撮像素子保持構造は、レンズ取り付け部を有するシャーシ２２に、撮像素子を取り付けた基板２１をネジ止めするように構成されている。組み立て時には、レンズや撮像素子を取り付け、ネジで仮止めした状態で撮像素子を測定器に接続して、テストパターンなどを撮影しながら光軸が一致した位置を探し、その位置でネジを締めて固定する。
【０００４】
【発明が解決しようとする課題】
前記従来の撮像素子保持構造においては、撮像素子とレンズの光軸を合わせるために、撮像素子の組み込み時に映像を出力し光軸調整をしており、調整作業が困難で組立時間が長くなるとともに、光軸調整のための設備が必要になるという問題を有していた。
【０００５】
本発明は、前記従来の問題を解決するもので、撮像素子の組み込み時に撮像素子とレンズの光軸調整を無くし、光軸調整のための設備を不要にして組立を容易にする撮像素子保持構造を提供することを目的とする。
【０００６】
【課題を解決するための手段】
前記問題を解決するために本発明は、撮像素子パッケージを搭載した基板と、レンズ受け部の中心（光軸）に垂直な２方向の基準面を持つシャーシと、撮像素子パッケージの基準面をシャーシの基準面に押し付けると同時に基板をシャーシに押し付ける押し付け部材とから構成される撮像素子保持構造を採用して、撮像素子パッケージの基準面をシャーシの基準面に押し付けることにより位置決めをして、撮像素子の組み立て時にレンズと撮像素子の光軸調整をしなくても、撮像素子パッケージの基準面とシャーシの基準面の精度によって光軸合わせの精度が保たれるようにしたものである。
【０００７】
ＣＣＤなどの撮像素子チップは、パッケージの所定の位置に正確に固定されており、パッケージの外形も精密に仕上げられているので、光軸調整に必要な精度は十分に満たされている。シャーシの基準面は、レンズ受け部と同じ精度で加工できるので、精度は十分に維持できる。これらの点以外の精度は光軸調整に直接影響しないので、半田付けあるいはソケットの精度や基板のサイズの精度などは、押し付け用のバネが有効に作用する範囲であれば通常の精度で十分である。
【０００８】
以上の構成により、撮像素子の組み込み時にレンズと撮像素子の光軸調整を行なう必要が無くなり、シャーシに基板と押し付け部材をはめ込むだけで撮像素子の組み込みが短時間にできる。
【０００９】
【発明の実施の形態】
本発明の請求項１に記載の発明は、撮像素子を固定した基板と、シャーシと、押し付け部材とを備え、前記シャーシが、前記基板が当接する基板受け部と、前記撮像素子が当接する撮像素子押し付け部と、シャーシ凸部と、レンズ受け部とを有し、前記押し付け部材が、前記基板を前記基板受け部に押し付ける第１のばね部と、前記シャーシ凸部に係合し、前記基板を挟み込んで固定するフック部と、前記撮像素子を光軸に垂直なＸ方向に前記撮像素子押し付け部へ押し付ける第２のばね部と、前記撮像素子を光軸に垂直なＹ方向に前記撮像素子押し付け部へ押し付ける第３のばね部とを有するカメラであり、シャーシに撮像素子を当接させることによりレンズと撮像素子の光軸を一致させることができるという作用を有する。
【００１１】
以下、本発明の実施の形態について、図１〜図４を用いて説明する。
【００１２】
（第１の実施の形態）
本発明の第１の実施の形態は、押し付け部材により撮像素子をバネでシャーシに押し付けることにより、レンズと撮像素子の光軸を一致させるための位置決めをする、カメラの撮像素子保持構造である。
【００１３】
図１〜図４により本発明の第１の実施の形態を説明する。図１は、基板１−１と、シャーシ２と、押し付け部材３の斜視図であり、図２は、撮像素子保持構造の断面図である。図３は、撮像素子１−１の平面図であり、図４は、シャーシ２の平面図である。
【００１４】
撮像素子１は、基板１−１に半田付けあるいはソケット等で固定され、基板１−１と一体的に構成されている。シャーシ２には、レンズ受け部２−１と撮像素子押し付け部２−２を設けている。
【００１５】
図４と図５に示すように、撮像素子押し付け部２−２は、レンズ受け部２−１の中心と撮像素子１の光電変換部の中心が一致するように、撮像素子１のパッケージ基準外形に合わせて寸法設定されている。
【００１６】
押し付け部材３は、基板１−１を（間接的に撮像素子１を）光軸に垂直なＸとＹの２方向に押し付けるバネ部３−Ｘとバネ部３−Ｙを有し、撮像素子１の基準面をシャーシ２の撮像素子押し付け部２−２に押し付ける作用をする。バネ部３−２により基板１−１をシャーシ２の基板受け部２−３に押し付け、フック部３−３がシャーシ凸部２−４と係合し、シャーシ２と押し付け部材３が基板１−１を挟み込み、固定している。
【００１７】
このように構成された撮像素子保持構造の組み立てについて、図１を用いて説明する。まず、シャーシ２の基板受け部２−３に、撮像素子１を固定した基板１−１を置く。
【００１８】
次に、押し付け部材３を、基板１−１の後方からシャーシ２に押し込むと、バネ部３−Ｘとバネ部３−Ｙが、基板１−１をＸ方向とＹ方向に押し、撮像素子１の基準面をシャーシ２の撮像素子押し付け部２−２に押し付ける。シャーシ２には、レンズ受け部２−１の中心（レンズ光軸）に対して精度を持った撮像素子押し付け部２−２が形成されているので、レンズ受け部２−１と撮像素子１の位置関係は精度よく保たれる。
【００１９】
さらに押し付け部材３をシャーシ２に押し込むことにより、バネ部３−２が基板１−１をシャーシ２の基板受け部２−３に押し付け、基板１−１を押し付けるとともに、フック部３−３がシャーシ凸部２−４に係合し、シャーシ２のレンズ受け部２−１と撮像素子１の位置関係を保った状態で基板１−１を固定する。
【００２０】
以上のように撮像素子保持構造を構成することにより、撮像素子１の組み込み時に、撮像素子１とレンズ受け部２−１の光軸調整を行なう必要が無くなり、簡単な作業で高精度の光軸合わせができるので、短時間の組立が可能になる。
【００２１】
（第２の実施の形態）
本発明の第２の実施の形態は、シャーシと押し付け部材を導電性の素材により構成したカメラの撮像素子保持構造である。
【００２２】
シャーシ２および押し付け部材３を電磁シールド性（導電性）のある材質で構成することにより、撮像素子１および基板１−１より発生する不要輻射の漏れを軽減することができる。シャーシ２と押し付け部材３を金属で構成してもよいし、導電性プラスチックでもよい。あるいはプラスチックに金属を蒸着して導電性を持たせたもので構成してもよい。
【００２３】
シャーシ２と押し付け部材３を、基板１−１を包み込むように形成して隙間のない形状にすれば、ほぼ完全にシールドすることが可能になるので、不要輻射を防止でき、カメラ内部の回路に対する妨害や、カメラの外の装置に対する妨害も軽減できる。また、シールドにより外部からの雑音を防止する効果もある。
【００２４】
【発明の効果】
以上のように本発明は、基板に固定された撮像素子の基準面を、レンズ受け部を有するシャーシの基準面にバネで当接させて位置決めすることにより、撮像素子の組み込み時にレンズと撮像素子の光軸調整を行なう必要を無くしたので、光軸調整のための設備が不要になるとともに、撮像素子の組み込み作業が簡単になり組立が短時間でできるという優れた効果が得られる。
【００２５】
また、シャーシと押し付け部材を電磁シールド性（導電性）のある材質で構成することにより、撮像素子及び基板より発生する不要輻射の漏れを軽減することができるという有利な効果が得られる。
【図面の簡単な説明】
【図１】本発明の実施の形態１の撮像素子保持構造の斜視図、
【図２】本発明の実施の形態１の撮像素子保持構造の断面図、
【図３】本発明の実施の形態１の撮像素子保持構造の撮像素子の正面図、
【図４】本発明の実施の形態１の撮像素子保持構造のシャーシの正面図（レンズ受け部と撮像素子押し付け部の図）、
【図５】従来の撮像素子保持構造の斜視図、
【図６】従来の撮像素子保持構造の断面図である。
【符号の説明】
１  撮像素子
１−１    撮像素子が固定された基板
２  シャーシ
２−１  レンズ受け部
２−２  撮像素子の押し付け部（基準面）
２−３  基板受け部
２−４  押し付け部材フック固定凸部
３  押し付け部材
３−Ｘ、３−Ｙ  撮像素子押し付けバネ部
３−２  基板固定バネ部
３−３  フック部
２１  撮像素子が固定された基板
２２  シャーシ
【図１】
0003594439.tif 000002
【図２】
0003594439.tif 000003
【図３】
0003594439.tif 000004
【図４】
0003594439.tif 000005
【図５】
0003594439.tif 000006
【図６】
0003594439.tif 000007